(57)【要約】【課題】最少数の位置決め手段を設けるだけで、光学フィルタを絞り羽根に対して正確に位置決めすることができ、それにより光学フィルタや絞り羽根の形状の単純化とフィルタ取り付け作業の容易化を図ることのできる、実現の容易な絞り羽根に対する光学フィルタの取付構造を提供する。【解決手段】ＮＤフィルタ２０を絞り羽根１０に接着した取付構造であり、ＮＤフィルタを、外周縁として前端縁２１と左右側縁２２と後端縁２３とを有する略四角形の平面形状に形成し、ＮＤフィルタの左右側縁に左右一対のＵ字状の切欠２６を形成し、絞り羽根に、光学フィルタのＵ字状の切欠に係合することで、光学フィルタを前後方向および左右方向に位置決めする凸部１６を形成し、該凸部を、素材である樹脂薄板を裏面側から表面側に向かってプレスすることにより略半球状の凸部として形成し、凸部に切欠を係合させることで、光学フィルタを絞り羽根に対して位置決めし、その状態で光学フィルタの後端縁に接着剤を塗布することで、光学フィルタを絞り羽根に接着した。【選択図】図１
0003145531.tif 000002
【実用新案登録請求の範囲】
【請求項１】
光量を調節する樹脂薄板製の絞り羽根の表面に凸部を形成し、一方、前記絞り羽根の一部に取り付ける光量減衰用の樹脂薄板製小片状の光学フィルタの外周縁に切欠を形成し、前記凸部に前記切欠を係合させることで前記光学フィルタを前記絞り羽根に対して位置決めし、その状態で、前記光学フィルタを前記絞り羽根に接着した絞り羽根に対する光学フィルタの取付構造であって、
前記光学フィルタを、外周縁として、前記開口部の中心側に迫り出す側を前方とし、その反対側を後方、それら前後方向に直交する方向を左右方向とした場合、前端縁と左右側縁と後端縁とを有する略四角形の平面形状に形成し、
当該光学フィルタの左右側縁に左右一対のＵ字状の切欠を形成し、
一方、前記絞り羽根に、前記光学フィルタのＵ字状の切欠に係合することで、前記光学フィルタを前後方向および左右方向に位置決めする前記凸部を形成し、
該凸部を、素材である樹脂薄板を裏面側から表面側に向かってプレスすることにより略半球状の凸部として形成し、
前記凸部に前記切欠を係合させることで、前記光学フィルタを前記絞り羽根に対して位置決めし、その状態で、前記光学フィルタの後端縁に接着剤を塗布することで、前記光学フィルタを絞り羽根に接着したことを特徴とする絞り羽根に対する光学フィルタの取付構造。
【請求項２】
前記光学フィルタのＵ字状の切欠を左右対称に形成したことを特徴とする請求項１に記載の絞り羽根に対する光学フィルタの取付構造。
【請求項３】
前記略半球状の凸部の外周縁と前記絞り羽根の表面とが交わる隅部の直径よりも、前記Ｕ字状の切欠の幅を若干大きく設定し、前記隅部と前記切欠の内側面の下端の当接により、前記光学フィルタを前記絞り羽根に対して位置決めしたことを特徴とする請求項１または２に記載の絞り羽根に対する光学フィルタの取付構造。
【請求項４】
前記光学フィルタの左右側縁のＵ字状の切欠を第１の切欠とし、それら第１の切欠に対応した前記凸部を第１の凸部とした場合、
前記光学フィルタの後端縁に更に第２のＵ字状の切欠を形成すると共に、前記絞り羽根に、その第２のＵ字状の切欠に嵌まる第２の凸部を設け、
該第２の凸部を、素材である樹脂薄板を裏面側から表面側に向かってプレスすることにより略半球状の凸部として形成し、
前記第１の凸部に前記第１の切欠を係合させることで、前記光学フィルタを前記絞り羽根に対して位置決めすると共に、前記第２の凸部に前記第２のＵ字状の切欠を嵌め合わせ、
その状態で、前記第２のＵ字状の切欠および前記第２の凸部を含む範囲に接着剤を塗布することで、前記光学フィルタを絞り羽根に接着したことを特徴とする請求項１〜３のいずれか１項に記載の絞り羽根に対する光学フィルタの取付構造。
【考案の詳細な説明】
【技術分野】
【０００１】
本考案は、ビデオカメラ、スチルカメラ、監視カメラ等の光学機器用の絞り装置に組み込まれる絞り羽根に対して光学フィルタを取り付ける場合の光学フィルタの取付構造に関するものである。
【背景技術】
【０００２】
光量調節のための絞り装置では、絞り径を小さくしてゆくほど、同じ光量を調節するための絞り羽根の移動量が少なくなる。そのため、より高精度な絞り羽根の移動制御が必要になり、制御が難しくなる。そこで、絞り口径が小さくなったときに、絞り開口部に通過光量を制限する光学フィルタ（光量減衰フィルタ＝ＮＤフィルタ）を挿入し、実質的な絞り口径を拡大することで、絞り径が小さいときの制御分解能を上げる工夫がなされている。
【０００３】
具体的には、絞り羽根の開口部側に小片状のＮＤフィルタを取り付けておき、絞り羽根が所定の絞り口径を下回ると、ＮＤフィルタが絞り口径内に位置して通過光量を制御するように構成されている。
【０００４】
このＮＤフィルタは、通常は絞り羽根に接着剤で貼り付けられ、絞り羽根の開口部の縁部から光量を減衰させるためのフィルタ使用面が所定量だけ開口部内に迫り出した状態で取り付けられている。
【０００５】
図５（ａ）、（ｂ）および図６（ａ）、（ｂ）は、特許文献１に記載された従来のＮＤフィルタの取付方法の説明図である。
【０００６】
図５に示す方法では、ＮＤフィルタの貼り付けは、貼り付け用の冶工具を用いて行われている。図５（ａ）に示すように、貼り付け用冶工具１４０は、その中央部に、絞り羽根１１０の開口部１１１の縁部とＮＤフィルタ１２０の縁部１２１の位置を決める突出段部１４１を有している。
【０００７】
図５（ｂ）は絞り羽根１１０にＮＤフィルタ１２０を貼り付けた後の状態を示しており、その貼り付けは次の手順で行っている。まず、絞り羽根１１０の開口部１１１を冶工具１４０の突出段部１４１に手で押さえながら固定し、その状態を維持しながら、その上にＮＤフィルタ１２０を治工具１４０の突出段部１４１に重ねるように載置する。その上で、一方の手で絞り羽根１１０とＮＤフィルタ１２０の位置がずれないように保持しながら、他方の手で接着剤ＳをＮＤフィルタ１２０の接着用の凹部１２５を含む範囲に塗布して、絞り羽根１１０と接合している。
【０００８】
しかし、上記した貼り付け用の冶工具１４０を利用して手で押さえながら行う方法では、しばしば接着の際に重ね合わせ状態にある絞り羽根１１０とＮＤフィルタ１２０の一方が手振れ等の原因で冶工具１４０の位置決め位置からずれてしまったり、接着剤Ｓの乾き方にむらがあって当初の貼り付け位置からずれてしまったりして、正確な位置精度を確保することが困難であった。
【０００９】
そこで、図６（ａ）に示すように、開口部２１１の周囲の絞り羽根２１０の表面に４つの突起２１６、２１７を設けておき、それら４つの突起２１６、２１７に、図６（ｂ）に示すように、矩形状のＮＤフィルタ２２０の前縁部と後縁部に設けた４つの切欠２２６、２２７をそれぞれ対応させつつ嵌め込むことで、ＮＤフィルタ２２０を絞り羽根２１０に
対して位置決めし、その状態で接着剤ＳをＮＤフィルタ２２０の後縁部の接着用の凹部２２５を含む範囲に塗布することで、絞り羽根２１０とＮＤフィルタ２２０を接合する構造が提案されている。
【００１０】
【特許文献１】特開２００１−３５６３８６号公報
【考案の開示】
【考案が解決しようとする課題】
【００１１】
しかし、図６の取付構造の場合、ＮＤフィルタ２２０を絞り羽根２１０に対して前後左右の４つの方向に位置決めする必要があることから、４つの突起２１６、２１７に４つの切欠２２６、２２７を互いに位置合わせしながら係合させるようにしているが、位置決めの箇所が多いので、位置を合わせるのに手間どるおそれがあった。また、突起２１６、２１７や切欠２２６、２２７の数が多いので、絞り羽根２１０やＮＤフィルタ２２０の形状が複雑になり、コスト高になるおそれがあった。また、小さな突起２１６、２１７を非常に薄い素材からなる絞り羽根２１０の表面に形成すること自体が困難であり、実現が難しいという問題もあった。
【００１２】
本考案は、上記事情を考慮し、最少数の位置決め手段を設けるだけで、光学フィルタを絞り羽根に対して正確に位置決めすることができ、それにより光学フィルタや絞り羽根の形状の単純化とフィルタ取り付け作業の容易化を図ることのできる、実現の容易な絞り羽根に対する光学フィルタの取付構造を提供することを目的とする。
【課題を解決するための手段】
【００１３】
請求項１の考案は、光量を調節する樹脂薄板製の絞り羽根の表面に凸部を形成し、一方、前記絞り羽根の一部に取り付ける光量減衰用の樹脂薄板製小片状の光学フィルタの外周縁に切欠を形成し、前記凸部に前記切欠を係合させることで前記光学フィルタを前記絞り羽根に対して位置決めし、その状態で、前記光学フィルタを前記絞り羽根に接着した絞り羽根に対する光学フィルタの取付構造であって、前記光学フィルタを、外周縁として、前記開口部の中心側に迫り出す側を前方とし、その反対側を後方、それら前後方向に直交する方向を左右方向とした場合、前端縁と左右側縁と後端縁とを有する略四角形の平面形状に形成し、当該光学フィルタの左右側縁に左右一対のＵ字状の切欠を形成し、一方、前記絞り羽根に、前記光学フィルタのＵ字状の切欠に係合することで、前記光学フィルタを前後方向および左右方向に位置決めする前記凸部を形成し、該凸部を、素材である樹脂薄板を裏面側から表面側に向かってプレスすることにより略半球状の凸部として形成し、前記凸部に前記切欠を係合させることで、前記光学フィルタを前記絞り羽根に対して位置決めし、その状態で、前記光学フィルタの後端縁に接着剤を塗布することで、前記光学フィルタを絞り羽根に接着したことを特徴とする。
【００１４】
請求項２の考案は、請求項１に記載の絞り羽根に対する光学フィルタの取付構造であって、前記光学フィルタのＵ字状の切欠を左右対称に形成したことを特徴とする。
【００１５】
請求項３の考案は、請求項１または２に記載の絞り羽根に対する光学フィルタの取付構造であって、前記略半球状の凸部の外周縁と前記絞り羽根の表面とが交わる隅部の直径よりも、前記Ｕ字状の切欠の幅を若干大きく設定し、前記隅部と前記切欠の内側面の下端の当接により、前記光学フィルタを前記絞り羽根に対して位置決めしたことを特徴とする。
【００１６】
請求項４の考案は、請求項１〜３のいずれか１項に記載の絞り羽根に対する光学フィルタの取付構造であって、前記光学フィルタの左右側縁のＵ字状の切欠を第１の切欠とし、それら第１の切欠に対応した前記凸部を第１の凸部とした場合、前記光学フィルタの後端縁に更に第２のＵ字状の切欠を形成すると共に、前記絞り羽根に、その第２のＵ字状の切
欠に嵌まる第２の凸部を設け、該第２の凸部を、素材である樹脂薄板を裏面側から表面側に向かってプレスすることにより略半球状の凸部として形成し、前記第１の凸部に前記第１の切欠を係合させることで、前記光学フィルタを前記絞り羽根に対して位置決めすると共に、前記第２の凸部に前記第２のＵ字状の切欠を嵌め合わせ、その状態で、前記第２のＵ字状の切欠および前記第２の凸部を含む範囲に接着剤を塗布することで、前記光学フィルタを絞り羽根に接着したことを特徴とする。
【考案の効果】
【００１７】
請求項１の考案によれば、最少数の位置決め手段（凸部と切欠の組み合わせ）を設けるだけで、光学フィルタを絞り羽根に対して前後方向および左右方向に正確に位置決めすることができる。従って、光学フィルタや絞り羽根の形状の単純化を図ることができると共に、凸部と切欠の合わせ箇所が少ない分だけ、取り付け作業の容易化を図ることができる。また、光学フィルタを位置ずれしないように取り付けることができるので、光学フィルタの大きさを必要最小限に設定することができ、高価なフィルタ材料を使用する上での歩留まりの向上が図れる。また、光学フィルタの後端縁に接着剤を塗布することで、光学フィルタを絞り羽根に接着しているので、接着剤のはみ出しによる光学系への悪影響が出ないようにすることができる。また、絞り羽根の凸部を、樹脂薄板を裏面側から表面側に向けてプレスすることにより形成しているので、簡単な加工法で凸部を形成することができ、実現が容易である。
【００１８】
請求項２の考案によれば、光学フィルタのＵ字状の切欠を左右対称に形成したので、光学フィルタを表裏関係なく絞り羽根に位置決めして接着固定することができ、取り付け作業性の向上が図れる。
【００１９】
請求項３の考案によれば、絞り羽根の表面に形成してある略半球状の凸部の外周縁と絞り羽根の表面とが交わる隅部の寸法精度を出すことで、光学フィルタを浮き上がることなく絞り羽根の表面に密着した状態で強固に接着することができる。
【００２０】
請求項４の考案によれば、光学フィルタの後端縁に形成した第２のＵ字状の切欠を絞り羽根の第２の凸部に嵌め合わせた状態で、第２のＵ字状の切欠および第２の凸部を含む範囲に接着剤を塗布して光学フィルタを絞り羽根に接着しているので、単に平面的な部分に接着剤が載るのと違い、第２の凸部やＵ字状の切欠によって多数の起伏が連続して付けられた部分に接着剤が載ることになるので、光学フィルタと絞り羽根の接着をより確実なものとすることができる。
【考案を実施するための最良の形態】
【００２１】
以下、本考案の実施形態を図面を参照して説明する。
図１は絞り羽根とＮＤフィルタ（光学フィルタ）の関係を示す図で、（ａ）はＮＤフィルタを絞り羽根に位置決めする前の状態を示す斜視図、（ｂ）はＮＤフィルタを絞り羽根に位置決めした後の状態を示す斜視図、図２は図１（ｂ）のII−II矢視断面図、図３はＮＤフィルタを絞り羽根に接着剤で貼り付けた状態を示す斜視図、図４はその絞り羽根を組み込んで構成する絞り装置の全体を示す分解斜視図である。
【００２２】
図１に示すように、絞り羽根１０には、光量を調節するための開口部１１と、スライドするためのスライド溝１２と、駆動のための駆動溝１３とが貫通して設けられている。また、開口部１１の周縁部のうち、絞り口径が小さくなったときに絞り口径を規定する部分の近傍には、表面側に膨らんだ３つの凸部１５、１６、１６が設けられている。ここでは、３つの凸部１５、１６、１６のうち、開口部１１に近い側の左右対称の２つの凸部１６、１６を第１の凸部１６と言い、残りの１つの凸部を第２の凸部１５と言って区別する。なお、ここでは、前後方向とは開口部１１の中心に向かう方向と離れる方向を言い、左右
方向とはそれに直交する方向を言う。
【００２３】
絞り羽根１０は、カーボンフェザー（商品名）と呼ばれる、極薄（例えば、０．０６８ｍｍ）の遮光性ポリエチレンフィルムの表面を微細な表面マット加工（サンドブラスト加工）により荒らして滑り性を良くした素材からなるものであり、前記の３つの凸部１５、１６、１６は、素材である樹脂薄板（フィルム）を裏面側から表面側に向かってプレスすることにより略半球状の凸部として形成されている。
【００２４】
一方、絞り羽根１０の所定部位に取り付ける光量減衰用のＮＤフィルタ（光学フィルタ）２０は、例えば、０．１５ｍｍ厚ほどの極薄のポリエチレンフィルムの表面に減光性物質をコーティングした素材よりなるもので、外周縁として、前端縁２１と左右側縁２２と後端縁２３とを有する略四角形の小片状に形成されている。
【００２５】
ＮＤフィルタ２０の左右側縁２２には、左右一対のＵ字状の第１の切欠２６が左右対称に形成され、ＮＤフィルタ２０の後端縁２３には、第２のＵ字状の切欠２５が１個だけ形成されている。左右側縁２２の第１の切欠２６は、絞り羽根１０の第１の凸部１６にそれぞれ嵌まるもので、これら左右２組の切欠２６と凸部１６の嵌まり合いで、絞り羽根１０に対してＮＤフィルタ２０を前後方向および左右方向に位置決めできるようになっている。また、後端縁２３の第２の切欠２５は、絞り羽根１０の第２の凸部１５に嵌まることで、前記左右側縁２２の切欠２６と凸部１６の組の補助として、絞り羽根１０に対してＮＤフィルタ２０を位置決めできるようになっている。
【００２６】
この場合、略半球状の凸部１５、１６と切欠２５、２６の関係は、図３に凸部１５と切欠２５の例を代表として挙げるように、凸部１５、１６の外周縁と絞り羽根１０の表面とが交わる隅部の直径１５Ｄ、１６Ｄよりも、Ｕ字状の切欠２５、２６の幅２５Ｈ、２６Ｈが僅かだけ大きくなるように設定してあり、その隅部と切欠２５、２６の内側面の下端の当接により、光学フィルタ２０を絞り羽根１０に対して位置決めするようになっている。つまり、絞り羽根１０の表面に隆起した凸部１５、１６の隅部の寸法出しを正確に行うことにより、ＮＤフィルタ２０を浮き上がることなく、絞り羽根の表面に密着した状態で、正確に位置決めできるようにしている。
【００２７】
この絞り羽根１０にＮＤフィルタ２０を取り付ける場合は、絞り羽根１０の第２の凸部１５の近辺に予め接着剤を塗布しておき、その状態で、ＮＤフィルタ２０を絞り羽根１０の上に載せ、図１（ｂ）に示すように、絞り羽根１０の第１の凸部１６にＮＤフィルタ２０の第１の切欠２５を嵌めると共に、絞り羽根１０の第２の凸部１５にＮＤフィルタ２０の第２の切欠２６を嵌める。そうすることにより、ＮＤフィルタ２０の位置決めが完了するので、その状態で再度、ＮＤフィルタ２０の上から後端縁の第２の切欠２５および第２の凸部１５を含む範囲に接着剤Ｓを塗布して、ＮＤフィルタ２０を絞り羽根１０の表面に接着する。以上により、図３に示すようなＮＤフィルタ２０付き絞り羽根１０が出来上がる。
【００２８】
あとは、図４に示すように、もうひと組と同様にＮＤフィルタ２０を取り付けた絞り羽根１０Ｂと組み合わせて絞り基板４０の上に載置し、絞り基板４０上のピン４２にスライド溝１２を嵌めることで、２枚の絞り羽根１０、１０Ｂをスライド自在に組み付ける。また、同時に駆動ユニット５０の回動レバー５３を、絞り羽根１０、１０Ｂの各駆動溝１３に係合させて、図示しないカバーを絞り基板４０の上に被せることにより、絞り装置６０を完成させることができる。
【００２９】
以上説明したように、本実施形態のＮＤフィルタの取付構造によれば、最少数の位置決め手段（左右２つの第１の凸部１６と第１の切欠２５の組み合わせ）を設けるだけで、Ｎ
Ｄフィルタ２０を絞り羽根１０に対して前後方向および左右方向に正確に位置決めすることができる。従って、ＮＤフィルタ２０や絞り羽根１０の形状の単純化を図ることができると共に、凸部１６と切欠２６の合わせ箇所が少ない分だけ、取り付け作業の容易化を図ることができる。また、ＮＤフィルタ２０を位置ずれしないように取り付けることができるので、ＮＤフィルタ２０の大きさを必要最小限に設定することができ、高価なフィルタ材料を使用する上での歩留まりの向上が図れる。
【００３０】
また、ＮＤフィルタ２０の後端縁２３に接着剤Ｓを塗布することで、ＮＤフィルタ２０を絞り羽根１０に接着しているので、接着剤Ｓのはみ出しによる光学系への悪影響が出ないようにすることができる。また、絞り羽根１０の凸部１６を、樹脂薄板を裏面側から表面側に向けてプレスすることにより形成しているので、簡単な加工法で凸部１６を形成することができ、実現が容易である。
【００３１】
また、ＮＤフィルタ２０の第１の切欠２６を左右対称に形成しているので、ＮＤフィルタ２０を表裏関係なく絞り羽根１０に位置決めして接着固定することができ、取り付け作業性の向上が図れる。
【００３２】
また、２組の第１の凸部１６と第１の切欠２６の組み合わせによってＮＤフィルタ２０を前後左右に位置決めするので、位置決めの観点から言えば、第２の凸部１５と第２の切欠２５の組は設けなくてもよいことになるが、敢えてこれら第２の凸部１５と第２の切欠２５を設けたことにより、特に剥がれに強くなるよう接着性の向上を図ることができる。
【００３３】
即ち、ＮＤフィルタ２０の後端縁２３に形成した第２のＵ字状の切欠２５を絞り羽根１０の第２の凸部１５に嵌め合わせた状態で、第２のＵ字状の切欠２５および第２の凸部１５を含む範囲に接着剤Ｓを塗布してＮＤフィルタ２０を絞り羽根１０に接着することにより、単に平面的な部分に接着剤Ｓが載るのと違い、第２の凸部１５やＵ字状の切欠２５によって多数の起伏が連続して付けられた部分に接着剤Ｓが載ることになるので、ＮＤフィルタ２０と絞り羽根１０の接着をより確実なものとすることができる。
【図面の簡単な説明】
【００３４】
【図１】本考案の実施形態の絞り羽根とＮＤフィルタ（光学フィルタ）の関係を示す図で、（ａ）はＮＤフィルタを絞り羽根に位置決めする前の状態を示す斜視図、（ｂ）はＮＤフィルタを絞り羽根に位置決めした後の状態を示す斜視図である。
【図２】図１（ｂ）のII−II矢視断面図である。
【図３】ＮＤフィルタを絞り羽根に接着剤で貼り付けた状態を示す斜視図である。
【図４】その絞り羽根を組み込んで構成する絞り装置の全体を示す分解斜視図である。
【図５】（ａ）、（ｂ）は従来のＮＤフィルタの取付方法の説明図である。
【図６】（ａ）、（ｂ）は従来のＮＤフィルタの取付構造の説明図である。
【符号の説明】
【００３５】
１０，１０Ｂ  絞り羽根
１１  開口部
１５  第２の凸部
１６  第１の凸部
２０  ＮＤフィルタ（光学フィルタ）
２５  第２の切欠
２６  第１の切欠
Ｓ  接着剤
【図１】
0003145531.tif 000003
【図２】
0003145531.tif 000004
【図３】
0003145531.tif 000005
【図４】
0003145531.tif 000006
【図５】
0003145531.tif 000007
【図６】
0003145531.tif 000008